(57)【要約】【課題】イメージリピート機能の利便性を向上させる。【解決手段】制御部は、用紙Ｐの大きさと図２（ａ）の状態における単位画像Ｇの大きさから、例えば単位画像を用紙の左上から過不足なく配列させた構成（図２（ｂ））を設定することができる。次に、制御部は、図２（ａ）における向き（第１の向き）から紙面内で９０°回転させた向き（第２の向き）とされた状態の単位画像Ｇよりも余白領域ＭＷが大きいか否かを判定する。余白領域ＭＷが大きければ、９０°回転させた状態の単位画像Ｇを余白領域ＭＷの中に設けることが可能であり、制御部は、この配列（副配列）を定める。【選択図】図２
2019169857.tif 000002
【特許請求の範囲】
【請求項１】
一つの画像データより構成される単位画像を単一の媒体上に複数形成して出力する動作を行う画像形成装置であって、
前記単位画像の出力後の大きさと前記媒体の大きさとを基にして、前記単位画像の向きを第１の向きとした場合に前記媒体中に過不足なく前記単位画像を配列させた構成である主配列を設定すると共に、
前記媒体上における、前記単位画像が前記主配列に基づき配列された領域である主配列領域の外側の領域である余白領域に、前記第１の向きと異なる第２の向きとされた前記単位画像を過不足なく配列させた構成である副配列を設定し、
前記単位画像の向きを前記第１の向きとして前記主配列に基づき前記単位画像を、前記単位画像の向きを前記第２の向きとして前記副配列に基づき前記単位画像を、それぞれ前記媒体上に形成して出力させる制御手段を具備することを特徴とする画像形成装置。
【請求項２】
前記制御手段は、
前記媒体上において隣接する前記単位画像の間に予め定められた幅の境界領域が形成されるように、前記主配列及び前記副配列を設定することを特徴とする請求項１に記載の画像形成装置。
【請求項３】
前記制御手段は、
前記媒体上の前記境界領域に、前記幅と垂直な方向に沿った境界線を形成して出力させることを特徴とする請求項２に記載の画像形成装置。
【請求項４】
前記制御手段は、
前記媒体上に形成された前記単位画像の各々に対して予め定められた方法で設定された番号を、前記単位画像と共に前記媒体に表示して出力させることを特徴とする請求項１から請求項３までのいずれか１項に記載の画像形成装置。
【請求項５】
前記制御手段は、
前記主配列中の前記単位画像、前記副配列中の前記単位画像の全てにおいて、前記番号の表示の前記単位画像に対する向きが同一となるように、前記番号を前記媒体に表示して出力させることを特徴とする請求項４に記載の画像形成装置。
【請求項６】
前記制御手段は、
前記主配列中の前記単位画像、前記副配列中の前記単位画像の全てにおいて、前記番号の表示の前記媒体に対する向きが同一となるように、前記番号を前記媒体に表示して出力させることを特徴とする請求項４に記載の画像形成装置。
【請求項７】
前記第２の向きは、前記単位画像が平面上で前記第１の向きから９０°回転した向きとされたことを特徴とする請求項１から請求項６までのいずれか１項に記載の画像形成装置。
【請求項８】
前記媒体、出力後の前記単位画像は共に矩形形状であり、
前記制御手段は、
前記単位画像が前記第１の向き、前記第２の向きとされた場合には、共に前記媒体を構成する外辺部と前記単位画像を構成する外辺部とが平行となるように、前記主配列、前記副配列を設定することを特徴とする請求項７に記載の画像形成装置。
【発明の詳細な説明】
【技術分野】
【０００１】
本発明は、画像を媒体上に形成して出力する画像形成装置に関し、特に単一の媒体上に同一の画像を複数配列させて出力させる機能を具備する画像形成装置に関する。
【背景技術】
【０００２】
用紙（媒体）上に画像を形成して出力する画像形成装置においては、様々な態様で１枚の用紙上に画像を形成して出力させる機能が設けられる。例えば、画像形成装置で用いられる用紙の大きさは一般的には規格で定められているのに対し、催し物の入場券等は、一般的にはこの用紙よりも小さい。この場合には、この入場券の画像（単位画像）を１枚の用紙に配列させて複数形成して出力させ、出力後の用紙を後で切断して単位画像毎に分離することによって、個々の入場券とすることができる。このような画像形成装置の機能は、イメージリピート機能として知られている。入場券の画像は、例えばスキャナーを用いて画像データとして入手することができる。
【０００３】
特許文献１には、イメージリピート機能を具備する画像形成装置について記載されている。この画像形成装置においては、出力後の使用態様を考慮し、出力後の画像がよりユーザーにとって適正に認識しやすくなるようなプレレビュー画像を表示させることができる。
【先行技術文献】
【特許文献】
【０００４】
【特許文献１】特開２０１１−２２４１２号公報
【発明の概要】
【発明が解決しようとする課題】
【０００５】
特許文献１に記載されたような従来のイメージリピート機能においては、用紙上に単位画像が周期的に過不足なく配列されて形成され、無駄に用紙が消耗することを防止するためには、１枚の用紙により多くの単位画像を形成することが好ましい。一方で、例えば上記のような入場券の場合には、その大きさは予め定められるため、出力後の単位画像の大きさは定まり、かつ、上記のように用紙の大きさも定まっている。
【０００６】
このような場合には、イメージリピート機能を用いて出力後の用紙において、画像が形成されない余白部分が広い面積で発生する場合があった。これによって、用紙の消耗が多くなる場合があった。また、切断後の単位画像の扱いも煩雑となったため、上記のように、切断後の単位画像を個別に利用するという観点からは、従来のイメージリピート機能はユーザーにとって十分に使いやすいものではなかった。
【０００７】
このため、イメージリピート機能の利便性を向上させることが求められた。
【０００８】
本発明はこのような状況に鑑みてなされたものであり、上記課題を解決できる技術を提供することを目的とする。
【課題を解決するための手段】
【０００９】
本発明の画像形成装置は、一つの画像データより構成される単位画像を単一の媒体上に複数形成して出力する動作を行う画像形成装置であって、前記単位画像の出力後の大きさと前記媒体の大きさとを基にして、前記単位画像の向きを第１の向きとした場合に前記媒体中に過不足なく前記単位画像を配列させた構成である主配列を設定すると共に、前記媒体上における、前記単位画像が前記主配列に基づき配列された領域である主配列領域の外側の領域である余白領域に、前記第１の向きと異なる第２の向きとされた前記単位画像を過不足なく配列させた構成である副配列を設定し、前記単位画像の向きを前記第１の向きとして前記主配列に基づき前記単位画像を、前記単位画像の向きを前記第２の向きとして前記副配列に基づき前記単位画像を、それぞれ前記媒体上に形成して出力させる制御手段を具備することを特徴とする。
本発明の画像形成装置において、前記制御手段は、前記媒体上において隣接する前記単位画像の間に予め定められた幅の境界領域が形成されるように、前記主配列及び前記副配列を設定することを特徴とする。
本発明の画像形成装置において、前記制御手段は、前記媒体上の前記境界領域に、前記幅と垂直な方向に沿った境界線を形成して出力させることを特徴とする。
本発明の画像形成装置において、前記制御手段は、前記媒体上に形成された前記単位画像の各々に対して予め定められた方法で設定された番号を、前記単位画像と共に前記媒体に表示して出力させることを特徴とする。
本発明の画像形成装置において、前記制御手段は、前記主配列中の前記単位画像、前記副配列中の前記単位画像の全てにおいて、前記番号の表示の前記単位画像に対する向きが同一となるように、前記番号を前記媒体に表示して出力させることを特徴とする。
本発明の画像形成装置において、前記制御手段は、前記主配列中の前記単位画像、前記副配列中の前記単位画像の全てにおいて、前記番号の表示の前記媒体に対する向きが同一となるように、前記番号を前記媒体に表示して出力させることを特徴とする。
本発明の画像形成装置において、前記第２の向きは、前記単位画像が平面上で前記第１の向きから９０°回転した向きとされたことを特徴とする。
本発明の画像形成装置において、前記媒体、出力後の前記単位画像は共に矩形形状であり、前記制御手段は、前記単位画像が前記第１の向き、前記第２の向きとされた場合には、共に前記媒体を構成する外辺部と前記単位画像を構成する外辺部とが平行となるように、前記主配列、前記副配列を設定することを特徴とする。
【発明の効果】
【００１０】
上記の構成により、イメージリピート機能の利便性を向上させることができる。
【図面の簡単な説明】
【００１１】
【図１】本発明の実施の形態に係る画像形成装置の構成を示すブロック図である。
【図２】本発明の実施の形態に係る画像形成装置において、複数の単位画像を用紙上に形成する状況を示す図である。
【図３】本発明の実施の形態に係る画形成装置における制御部の動作を示すフローチャートの一例である。
【図４】本発明の実施の形態に係る画像形成装置において、複数の単位画像に連番を付す場合の状況を示す図である。
【図５】本発明の実施の形態に係る画像形成装置において、複数の単位画像と重複させずに連番を表示する場合の状況を示す図である。
【図６】本発明の実施の形態に係る画像形成装置において、複数の単位画像を用紙上に形成する他の例の状況を示す図である。
【発明を実施するための形態】
【００１２】
以下、本発明を実施するための形態について図面を参照して説明する。実施の形態となる画像形成装置は複合機１であり、図１は、その構成を示す図である。複合機１は、原稿（用紙）上に形成された画像を光学的に読み取る原稿読取部１１を具備する。原稿読取部１１においては、原稿表面の２次元画像がＣＣＤ等を用いて２次元画像データとして取得される。
【００１３】
また、この複合機１は、媒体（用紙）上に画像を形成して出力するための機能を具備する。ここで出力される画像としては、原稿読取部１１で得られた２次元画像データに基づく画像がある。このように画像を用紙上に形成するための機械的機構を具備する画像形成部１２が設けられる。この際に、用紙カセットから用紙を画像形成部１２まで搬送する機械的機構を具備する給紙部１３が設けられる。この複合機１全体の制御を行うためのＣＰＵを具備する制御部１０が設けられ、この動作は、操作パネル１４をユーザーが操作することによって行われる。また、この際に機器の情報等を表示するディスプレイである表示部１５が設けられる。また、これらの動作を行うために用いられる各種のデータを記憶する記憶部１６も設けられる。また、複合機１は、ネットワークを介して接続された外部のパーソナルコンピューターからの印刷ジョブに基づく画像を画像形成部１２を用いて出力させることもできる。このためのインターフェースとなるネットワーク接続部１７も設けられている。
【００１４】
制御部（制御手段）１０は、実際に画像形成部１２が用紙に画像を形成して出力する前に、画像が用紙上に形成された状況を忠実に再現したプレビュー画像を表示部１５に表示させることができる。また、このプレビュー画像は、ネットワークを介して接続されたパーソナルコンピューター側のディスプレイでも見ることができる。
【００１５】
ここで、制御部１０が画像形成部１２で用紙上に画像を形成するに際して、ある一つの画像（単位画像）を単一の用紙上に配列させて出力させるイメージリピート機能が設けられる。イメージリピート機能において用いられる単位画像は、例えば入場券等の画像である。出力後におけるこの単位画像の大きさは、その使用目的によって定まっている。一方、用紙の大きさは、規格によって定まっている。このため、制御部１０は、用紙と出力後の単位画像の大きさより、上記の配列の構成を定めることができる。
【００１６】
ここで、用紙の大きさと出力後の単位画像の大きさが定まっているために、上記の配列を設定するにあたり、一般的には用紙上に画像が全く形成されない無駄な白紙領域（余白領域）が発生する。制御部１０は、この際に、この余白領域が小さくなるように単位画像の配列を設定する。この際、各単位画像中に、各単位画像が識別可能となるような番号を付与することができる。この際、この番号の表示の向きは、出力後の単位画像の使用の態様に応じて定めることができる。
【００１７】
以下に、この設定を行う際の制御部１０の動作について説明する。ここでは、出力後の単位画像は用紙よりも十分に小さな矩形形状であるものとし、用紙Ｐと単位画像Ｇの大きさの関係は図２（ａ）に示すとおりであるものとする。単位画像の画像データは、原稿読取部１１を用いて取得され、記憶部１６に記憶されている。図３は、この際の制御部１０の動作を示すフローチャートである。
【００１８】
まず、制御部１０は、単位画像Ｇの画像データを入手した後に、その出力後の縦横の大きさを認識することができる（Ｓ１）。あるいは、この大きさが操作パネル１４の操作やネットワークを介して接続されるパーソナルコンピューターから設定される場合には、これらからこの大きさを認識することができる。次に、制御部１０は、この単位画像Ｇの印刷出力が合計で何枚必要かをユーザーに問い合わせて認識する（Ｓ２）。この枚数は、例えば単位画像Ｇが入場券である場合には、その発行総数となる。
【００１９】
一方、制御部１０は、給紙部１３でどの用紙が選択されたかによって、用紙Ｐの縦横の大きさも認識することができる（Ｓ３）。制御部１０は、用紙Ｐの大きさと図２（ａ）の状態における単位画像Ｇの大きさから、例えば単位画像を用紙の左上から過不足なく配列させた構成（図２（ｂ））を設定することができる。ここでは、単位画像Ｇの向き、用紙Ｐの向きは図２（ａ）の状態のままであるものとする。また、後に切断が行われることを考慮し、隣接する単位画像の間には所定の幅をもつ境界領域が設けられる。図２（ｂ）においては、これによって、６つの単位画像Ｇの配列（主配列）が設けられた主配列領域Ｍ１が定まる（Ｓ４）。この際、この状態では、図中横方向の長さが単位画像よりも短いためにこの中に単位画像Ｇを設けることができない余白領域ＭＷが形成される。主配列において左上から単位画像Ｇを配列させる場合には、一般的には用紙Ｐ上で主配列Ｍ１の右側又は下側に余白領域ＭＷが存在する。
【００２０】
次に、制御部１０は、図２（ａ）における向き（第１の向き）から紙面内で９０°回転させた向き（第２の向き）とされた状態の単位画像Ｇよりも余白領域ＭＷが大きいか否かを判定する（Ｓ５）。ここで、この状態の単位画像Ｇよりも余白領域ＭＷが大きいとは、余白領域ＭＷの縦方向のサイズ、横方向のサイズが、それぞれこの状態の単位画像Ｇの縦方向のサイズ、横方向のサイズよりも大きいことを意味する。余白領域ＭＷが大きければ（Ｓ５：Ｙｅｓ）、９０°回転させた状態の単位画像Ｇを余白領域ＭＷの中に設けることが可能であり、制御部１０は、この配列（副配列）を定める（Ｓ６）。図２（ｂ）の場合においては、図２（ｃ）に示されるように、この単位画像Ｇを上記の主配列領域Ｍ１と同様に境界領域を設けて２つ縦方向に配列させた副配列が設けられた副配列領域Ｍ２が余白領域ＭＷ中で定まる。
【００２１】
このように主配列と副配列が設定されたら、制御部１０は、用紙Ｐ上に形成される単位画像Ｇの総数を認識する（Ｓ７）。ここでは、単位画像は主配列に６つ、副配列に２つとなるため、総数は８つとなる。次に、制御部１０は、単位画像Ｇの出力枚数（Ｓ２）と用紙Ｐ当たりの単位画像Ｇの数より、必要となる用紙Ｐの枚数を認識し、これを表示部１５を介してユーザーに通知する（Ｓ８）。ユーザーは、この結果を認識した上で、例えば必要となる用紙Ｐの枚数が多すぎるか否かという判断に基づき、現在の用紙Ｐの設定が適切であるか否かを認識することができる。用紙Ｐの種類（用紙サイズ）を変更する場合（Ｓ９：Ｙｅｓ）には、ユーザーが用紙Ｐを再設定した後に、再び制御部１０は、このサイズを認識し（Ｓ３）、以降の動作を同様に行う。
【００２２】
あるいは、現在の設定が最適でないと認識された場合において、用紙Ｐを変更せずに（Ｓ９：Ｎｏ）、単位画像Ｇ側の調整を行うことによって対処することもできる（Ｓ１０）。この調整を行う場合（Ｓ１０：Ｙｅｓ）には、例えば、ユーザーは、単位画像Ｇを比例縮小する、あるいは単位画像Ｇ中の余白区分を調整する等の作業により単位画像Ｇの大きさを変更する作業を行うことができる。その後、再び制御部１０は、この調整後の単位画像Ｇのサイズを認識し（Ｓ１）、以降の動作を同様に行う。
【００２３】
用紙Ｐ、単位画像Ｇのサイズが共に現在の設定でよい場合（Ｓ９：Ｎｏ、Ｓ１０：Ｎｏ）には、制御部１０は、前記のように切断を後で行うための境界となる境界線Ｌを、上記の境界領域においてその幅と垂直な方向に延伸するように設定する（Ｓ１１）。図２（ｄ）は、この状態において想定される用紙Ｐの出力後の状況を示す。制御部１０は、この状況をプレビュー画像で表示させることができる。
【００２４】
次に、制御部１０は、単位画像Ｇが後に切断分離されて使用されることを考慮し、図２（ｄ）の状態における各単位画像Ｇに番号（連番）を付すことができる。制御部１０は、表示部１５等を介してこの問い合わせを行い、連番を付す旨の回答が得られた場合（Ｓ１２：Ｙｅｓ）には、番号の表示方法についての問い合わせを行ない、これを設定させる（Ｓ１３）。この番号の表示方法は、下記のような目的に応じて適宜設定することができる。
【００２５】
ここで、番号の表示方法については、例えば番号を表示させる向きの設定があり、この向きについては、２通りの設定がある。図４（ａ）（ｂ）は、図２（ｄ）の場合においてこの２通りの場合の表示を行った場合（Ｓ１０）の形態を示す。ここで付与される番号は、前記のように８つの単位画像Ｇに対応して、Ｎｏ．１０１〜Ｎｏ．１０８とされる。図４（ａ）の場合においては、この番号表示Ｎは、主配列領域Ｍ１中で横向き、副配列領域Ｍ２中では縦向きとされて、単位画像中における同一箇所（図２（ａ）の状態における左側の部分）に表示される。すなわち、この場合における番号表示Ｎは、単位画像Ｇ毎に、単位画像Ｇの向きに応じて行われる。この場合には、切断後の各単位画像Ｇにおいて、この番号は用紙Ｐ上で単位画像Ｇが形成された位置によらず同様の位置に同様に表示される。このため、例えばこの単位画像Ｇが入場券となるものである場合には、この番号を入場券のシリアル番号とすることができる。
【００２６】
図４（ｂ）の場合においては、この番号表示Ｎは、主配列領域Ｍ１中でも副配列領域Ｍ２でも横向きとされて、単位画像中における同一箇所（図２（ａ）の状態における左側の部分）に表示される。すなわち、この場合における番号の表示は単位画像Ｇ毎に行われるが、この番号表示Ｎの向きは一定（用紙Ｐとの関係が一定）とされる。この場合には、切断後の単位画像Ｇ中におけるこの番号表示Ｎの向きは一定とはならないが、用紙Ｐ上においては一定となる。このため、切断作業時における管理が特に容易となる。
【００２７】
なお、上記の例では、番号表示Ｎは単位画像Ｇにおける所定の箇所に設けられるものとしたが、例えば単位画像Ｐが用紙Ｐの表面に形成される場合に、番号表示Ｎを、対応する単位画像Ｇの裏面に設けることもできる。また、表面において前記の境界領域に設けてもよい。
【００２８】
図４に示された表示方法では、出力された単位画像Ｇ中に番号表示Ｎが上書きされたのに対し、出力された単位画像Ｇ中に番号が上書きされないような形態とすることもできる。この場合には、前記のような余白領域ＭＷを利用することができる。図５は、この場合の形態を示す一例である。ここでは、単位画像Ｇの向きを変えても余白領域ＭＷに単位画像Ｇを収めることができないものとされている（Ｓ５：Ｎｏ）ため、余白領域ＭＷ中には単位画像Ｇが全く形成されない。このため、各単位画像Ｇ中に番号を付す代わりにこの余白領域ＭＷに番号表示をすることができる。ここでは、この用紙Ｐにおける単位画像Ｇの番号がＮｏ．１０１〜１０６であることと、この用紙Ｐの頁番号（Ｐａｇｅ．１０）が表示された包括的番号表示ＮＮが施される。あるいは、各単位画像Ｇ中に番号を付すと共に余白領域ＭＷ中にこのような番号表示をしてもよい。図５の例では包括的番号表示ＮＮは余白領域ＭＷに設けられたが、単位画像Ｇと重複しない任意の箇所に包括的番号表示ＮＮを設けることもできる。例えば、包括的番号表示ＮＮを用紙Ｐにおける単位画像Ｇが形成されない任意の箇所に表示してもよい。あるいは、用紙Ｐの表面に上記のように単位画像Ｐを形成し、裏面に包括的番号表示ＮＮを表示してもよい。
【００２９】
このような番号の表示方法のどれを用いるかは、ユーザーが目的に応じて設定することができる。なお、図４の例にで番号表示Ｎを単位画像Ｇ中において表示する箇所は、ユーザーが適宜設定できることが好ましい。特に図４（ａ）の場合には、この箇所は全ての単位画像Ｇ中で同一とすることが好ましい。
【００３０】
制御部１０は、連番を付さない場合（Ｓ１２：Ｎｏ）には連番のない状態で、連番を付す場合には上記のように連番を付した状態で、プレビュー画像を表示させることができる（Ｓ１４）。ユーザーは、この最終的なプレビュー画像を確認した上で、実際の印刷を行うか、設定を初め（Ｓ１）からやり直すかを判断することができる。
【００３１】
なお、上記の例においては、初めに主配列を設定する際（Ｓ４：図２（ｂ））に、単位画像Ｇにおける第１の向きが図２（ａ）の通りである（用紙Ｐの長手方向と単位画像Ｇの長手方向が垂直である）ものとした。しかしながら、主配列を設定する際に、前記の副配列を設定する場合（Ｓ６）における第２の向きと同様に、単位画像Ｇを９０°回転させた状態とすることも可能である。この場合においては、図６に示されるように、主配列として縦２列、横４列の主配列領域Ｍ１が設定されると共に、余白領域ＭＷはその右側における横方向において極めて狭い領域となる。このため、余白領域ＭＷ中に単位画像Ｇを設けることは不可能となり、この場合において用紙Ｐに設けることができる単位画像Ｇの総数（Ｓ７）は、主配列領域Ｍ１中の８つとなる。
【００３２】
結局、用紙Ｐ、単位画像Ｇが図２（ａ）のとおりである場合には、図２（ｄ）、図６のどちらの場合でも、用紙Ｐ上に形成される単位画像Ｇの数は８つであり等しく、図２（ｄ）、図６のどちらの態様を選択するかは、ユーザーがプレビュー画像を見た上で選択することができる。あるいは、図３のフローチャートにおいて、Ｓ４〜Ｓ７の工程を上記のような主配列中の単位画像の向き毎に行い、この場合に得られる単位画像Ｇの総数（Ｓ７）が異なる場合には、総数が大きくなる方を優先的に設定することもできる。これによって、１枚の用紙Ｐからより多くの単位画像をＧを得ることができる。
【００３３】
あるいは、上記の２つの態様のうち、境界線Ｌの本数が少なくなる方を優先的に設定してもよく、この場合には、出力後のユーザーの作業を容易にすることができる。この場合には、同一直線上に存在する境界線Ｌは単一の境界線であるとして計算することが好ましい。
【００３４】
上記の例においては、単位画像Ｇ、用紙Ｐが共に矩形形状であり、主配列を設定する際には単位画像Ｇの長手方向が用紙Ｐの長手方向と垂直となるように単位画像の向き（第１の向き）が設定され、副配列を設定する際には単位画像Ｇの向き（第２の向き）はこれから９０°回転させた向きとされた。前記の通り、この場合の第１の向き、第２の向きを逆転させて主配列、副配列を設定してもよい。ただし、図２（ａ）のように、単位画像Ｇ、用紙Ｐが共に矩形形状である場合には、どちらの向きにおいても、単位画像Ｇの外辺部と用紙Ｐの外辺部とが並行となるように設定することによって、主配列領域、副配列領域において密に単位画像Ｇを配列させることができる。また、この場合には、第２の向きは、平面上で単位画像Ｇを９０°回転させた向きとなる。
【００３５】
上記のように第２の向きと第１の向きとが９０°異なる設定は、単位画像が矩形形状ではない場合においても有効であり、例えば単位画像が楕円形状である場合においても有効である。すなわち、上記の構成は、単位画像が円形である場合以外においては有効である。この際、形状に応じて、第２の向きと第１の向きとの角度差も適宜設定することができる。
【００３６】
また、上記の例においては、用紙Ｐが矩形形状であるとされたが、例えば用紙Ｐが矩形形状であっても、その中の印刷可能領域が異なる形状に設定される場合もある。こうした場合においては、上記の用紙Ｐをこの印刷可能領域に置き換えて上記の構成を同様に適用することができる。
【符号の説明】
【００３７】
１  複合機（画像形成装置）
１０  制御部（制御手段）
１１  原稿読取部
１２  画像形成部
１３  給紙部
１４  操作パネル
１５  表示部
１６  記憶部
１７  ネットワーク接続部
Ｇ  単位画像
Ｌ  境界線
Ｍ１  主配列領域
Ｍ２  副配列領域
ＭＷ  余白領域
Ｎ  番号表示
ＮＮ  包括的番号表示
Ｐ  用紙（媒体）
【図１】
2019169857.tif 000003
【図２】
2019169857.tif 000004
【図３】
2019169857.tif 000005
【図４】
2019169857.tif 000006
【図５】
2019169857.tif 000007
【図６】
2019169857.tif 000008